(57)【特許請求の範囲】
【請求項１】
ランプ口金（２）を備えた車両前照灯のためのハロゲン電球ランプであって、
前記ランプ口金（２）は、車両前照灯内でのハロゲン電球ランプの配向のための基準面（Ｒ）を規定し、さらに前記ランプ口金（２）は透光性のランプ球（１）を支持する実質的に回転対称な輪郭を有する支持体（２１４，２１４′）を含んでおり、
前記基準面（Ｒ）と少なくとも１つのフィラメント（３）との間隔は、２５.０ｍｍ＋/−０.１ｍｍの範囲内にあり、
前記支持体（２１４，２１４′）は、ランプ口金（２）の構成要素（２１２）に接続される支持体第１部分（２１４１，２１４１′）と、透光性ランプ球（１）の突出する支持体第２部分（２１４２，２１４２′）とを有している、ハロゲン電球ランプにおいて、
前記支持体第２部分（２１４２，２１４２′）が、前記支持体第１部分（２１４１，２１４１′）の外径よりも小さい外径を有し、前記基準面（Ｒ）上のランプ口金（２）の高さ（Ｂ）が、１１.５ｍｍ乃至１６.６ｍｍの範囲にある、ことを特徴とする、ハロゲン電球ランプ。
【請求項２】
前記基準面（Ｒ）上のランプ口金（２）の高さ（Ｂ）は、１２ｍｍ乃至１６.６ｍｍの範囲、有利には１３ｍｍ乃至１６ｍｍの範囲にある、請求項１記載のハロゲン電球ランプ。
【請求項３】
前記支持体第１部分（２１４１′）及び支持体第２部分（２１４２′）はそれぞれ円筒状又は円錐台状に形成されている、請求項１または２記載のハロゲン電球ランプ。
【請求項４】
前記支持体第１部分（２１４１）又は支持体第２部分（２１４２）は円筒状に形成され、別の支持体部分（２１４１，２１４２）は円錐台状に形成されている、請求項１または２記載のハロゲン電球ランプ。
【請求項５】
前記ランプ球（１）は円筒状のランプ球部分（１２）を有し、前記円筒状のランプ球部分（１２）は少なくとも１つのフィラメント（３）を取り囲み、さらに前記円筒状のランプ球部分（１２）の一方の端部は、少なくとも１つのフィラメント（３）のための電流リード導体（４，５）が引き出されているランプ球封止部（１１）によって密封され、前記円筒状のランプ球部分（１２）の他方の端部は、ランプ球頭頂部（１３）によって密封されている、請求項１から４いずれか１項記載のハロゲン電球ランプ。
【請求項６】
円筒状のランプ球部分（１２）の長さは、１８ｍｍ以下である、請求項１から５いずれか１項記載のハロゲン電球ランプ。
【請求項７】
前記円筒状のランプ球部分（１２）の外径は、９ｍｍ乃至１０ｍｍの範囲内にある、請求項１から６いずれか１項記載のハロゲン電球ランプ。
【請求項８】
前記ランプ球（１）は硬質ガラスからなっている、請求項１から７いずれか１項記載のハロゲン電球ランプ。
【発明の詳細な説明】
【技術分野】
【０００１】
本発明は、請求項１の上位概念による車両前照灯用ハロゲン電球ランプに関している。
【背景技術】
【０００２】
この種のハロゲン電球ランプは、例えばＷＯ９６／０５６１０Ａ１に開示されている。この公報には、ランプ口金を備えた車両前照灯用のハロゲン電球ランプが開示されており、前記ランプ口金は、車両前照灯内部におけるハロゲン電球ランプの配向のための基準面を規定し、さらにランプ球を固定するための円筒状の支持体を含んでいる。このハロゲン電球ランプのランプ球は、回転対称なランプ球部分を有し、このランプ球部分は、フィラメントと遮光キャップを取り囲み、さらに前記ランプ球部分は、一方の端部においてはランプ球頭頂部によって密封され、他方の端部においてはランプ球封止部によって密封されている。前記ランプ容器封止部は支持部材内に固定されており、そこからはフィラメントのための電流リード導体が引き出されている。
【０００３】
国際的な標準規格であるＥＣＥ規則Ｒ３７は、カテゴリーＨ７、Ｈ８、Ｈ１６のハロゲン電球ランプに対する最大ランプ規格を定めている。例えば、この規格では、長手延在方向に対して垂直方向に配向されたランプ口金基準面からランプ球頭頂部までの長手方向でのランプ延在部分の寸法Ｌ１は、４４.０ｍｍの値を超えることは許されない。このことは、前記規格において、Ｌ１＜４４.０ｍｍという条件を満たす必要があることを意味している。その他にも、前記ＥＣＥ規則Ｒ３７によれば、カテゴリーＨ７，Ｈ８，Ｈ１６のハロゲン電球ランプで、車両前照灯内部における散乱光と鏡像現象による障害を回避するために、メタルフリーゾーンの存在を保証しなければならない規定がある。このメタルフリーゾーンについては図４において、フィラメント軸線Ａと直線Ｇとを用いて概略的に描写している。前記直線Ｇは、フィラメント３の巻回始端部の下方３ｍｍのところで、フィラメント軸線Ａを、４０°ないしは１４０°の角度で交わっている。従って前記直線Ｇと、フィラメント軸線Ａに垂直に交わる水平線Ｆ（図４）との間の角度αは５０°である。前記ＥＣＥ規則Ｒ３７によれば、カテゴリーＨ７，Ｈ８，Ｈ１６のハロゲン電球ランプの場合に、図４で選択されているランプ配置方向で、フィラメント軸線Ａの右側でかつ直線Ｇの上方に存在するランプ球１内部の領域には、フィラメント以外の金属部材を何も配置してはならないという規定がある。さらに前記ＥＣＥ規則Ｒ３７によれば、カテゴリーＨ７，Ｈ８，Ｈ１６のハロゲン電球ランプに対するランプ口金によって規定される基準面Ｒと、フィラメントとの間の間隔Ｅが２５.０ｍｍ＋/−０.１ｍｍの範囲内に収まるように規定されている。従来技術によるハロゲン電球ランプの場合、基準面Ｒ上のランプ口金の高さＢは、９ｍｍ乃至１１ｍｍの範囲内である。
【０００４】
発明の開示
本発明の課題は、請求項１の上位概念による、車両前照灯用ハロゲン電球ランプにおいて、振動に対する高い安定性を備えたランプを提供することである。
【０００５】
この課題は、請求項１記載の特徴を備えたハロゲン電球ランプにより解決される。本発明の殊に有利な実施形態は従属請求項に記載されている。
【０００６】
本発明によるハロゲン電球ランプは、ランプ口金を有しており、このランプ口金は、車両前照灯におけるハロゲン電球ランプの配向のための基準面を規定し、さらに前記ランプ口金は、透光性ランプ球を支持するための実質的に回転対称な輪郭を備えた支持体を含んでいる。この支持体は、ランプ口金の構成要素に接続された支持体第１部分と、透光性ランプ球の突出始端部である支持体第２部分とを有している。本発明によれば、前記支持体第２部分の外径は、支持体第１部分の外径よりも小さく、基準面上方のランプ口金の高さは、本発明によれば、１１.５ｍｍ乃至１６.６ｍｍの範囲にある。特に後者の意味するところは、ランプ口金から突出するランプ球の部分と基準面との間に位置するランプ口金部分の高さ方向の長さが、１１.５ｍｍ乃至１６.６ｍｍの範囲にあることである。
【０００７】
それにより、本発明によるハロゲン電球ランプは、従来技法に比べて短くなったランプ球を備え、さらにＥＣＥ規則Ｒ３７によって定められた、少なくとも１つのフィラメントと基準面との間の間隔が２５ｍｍ＋/−０.１ｍｍの範囲で選択可能となる。本発明によれば、有利にはそのランプ球封止部でもって支持体に固定される、短縮されたランプ球に基づいて、ランプ球支持部位の耐振性が向上する。その他にも、本発明によるハロゲン電球ランプは、それによって少なくとも１つのフィラメントに対する短縮された電流リード導体を有する。すなわち、ランプ球内部で延在する少なくとも１つのフィラメントに接続された電流リード導体部分も、従来技法によるハロゲン電球ランプの場合よりも短い構成となる。特に本発明によるハロゲン電球ランプの場合、ランプ球内部を延在するフィラメント用電流リード導体部分は、従来技法によるハロゲン電球ランプに比べて約３０％から４０％ほど短縮され得る。それにより、本発明によるハロゲン電球ランプはさらに、耐振性の向上したフィラメント支持部も有するようになる。また本発明によるハロゲン電球ランプは、ランプ球のための支持体の支持体第２部分の小さな外径により、既に前述したような、ＥＣＥ規則Ｒ３７によるメタルフリーゾーンを備えることも保証される。
【０００８】
この前述したようなメタルフリーゾーンを保証するための支持体第２部分の小さな外径は、種々異なる手法で実現可能である。本発明の有利な第一実施例によれば、支持体第１及び第２部分がそれぞれ円筒状に形成され、この場合ランプ球が突出する支持体第２部分は、ランプ口金の構成要素に接続された支持体第１部分の外径よりも小さい外径を有している。すなわちここでの支持体は、ランプ球が突出する側の方向に向かって回転軸に沿って段階的に低減した外径を有している。本発明の第二実施例によれば有利には、ランプ球が突出する支持体第２部分が円錐台状に形成され、ランプ口金の構成要素に接続される支持体第１部分は円筒状に形成される。すなわちこの支持体は、ランプ球が突出する側の方向に向かって回転軸に沿って円錐状に先細りとなるように形成されている。代替的に前記支持体第１部分を円錐台状に形成し、支持体第２部分は円筒状に形成することも可能である。さらに別の代替例として前記支持体第１及び第２部分を円錐台状に形成してもよい。
【０００９】
別のことばで表現するならば、前記支持体は、本発明によるハロゲン電球ランプの全ての変化例においてその外径が次のように形成されている。すなわち支持体の回転軸に沿ってランプ球突出始端部側方向に向かってその外径が、ＥＣＥ規則Ｒ３７によるメタルフリーゾーンの保証のために、段階的に低減され、又は円錐台の形態に応じて低減される。前述の全ての変化例では、本発明によるハロゲン電球ランプの支持体が簡単な方式でランプ口金の構成要素、特に円筒状の金属スリーブと接続される。
【００１０】
有利には、本発明によるハロゲン電球ランプのランプ口金基準面上のランプ口金の高さは、１２ｍｍ乃至１６.６ｍｍの範囲で選定され、特に有利には、１３ｍｍ乃至１６ｍｍの範囲で選定される。基準面上のランプ口金の高さが１６.６ｍｍを上回ると、円錐状の支持体を持ってしても、メタルフリーゾーンの条件をもはや保証することができなくなり、さらに基準面上のランプ口金の高さが１１.５ｍｍを下回ると、ハロゲン電球ランプの有意な耐振性の向上を達成することができなくなる。
【００１１】
基準面上のランプ口金の高さの増加をできるだけ簡単に達成するために、前記支持体第２部分の高さを有利には３ｍｍ乃至６ｍｍの範囲で選定し、本発明によるハロゲン電球ランプのランプ口金のその他の構成要素は、従来技法によるハロゲン電球ランプのランプ口金から変更することなくそのまま継承してもよい。
【００１２】
本発明によるハロゲン電球ランプの少なくとも１つのフィラメントは、製造技術的な理由から、有利には円筒状のランプ球部分によって取り囲まれ、該ランプ球部分の一方の端部は、少なくとも１つのフィラメントのための電流リード導体が引き出されているランプ球封止部を用いて密封され、他方の端部は、ランプ球頭頂部を用いて密封されている。
【００１３】
一方でランプの高い耐振性を保証し、他方で相応に小さなランプ球容積を可能にするために、円筒状のランプ球部分の長さは、有利には１８ｍｍ以下にされる。それによりランプ球の充填に対して、例えばキセノン又はクリプトンなどの希ガスが極僅かな量しか必要なくなる。
【００１４】
本発明によるハロゲン電球ランプの円筒状ランプ球部分の外径は、有利には９ｍｍ乃至１０ｍｍの範囲にある。
【００１５】
それにより、ランプ球の容積と、フィラメントとランプ球の間の間隔と、ハロゲンサイクルのための充填ガスの量とが、本発明によるハロゲン電球ランプの消費電力に適合化される。特に本発明によるハロゲン電球ランプはその小さな寸法のランプ球によって、僅かな量の希ガス、例えばキセノン又はクリプトンしか必要なくなり、そのためコストの節約も達成可能である。
【００１６】
本発明によるハロゲン電球ランプのランプ球は、有利には硬質ガラス、例えばアルカリフリーのアルカリ土類−アルミノ−ケイ酸塩ガラスからなる。それにより、電流リード導体に対するモリブデン箔溶融は不要となり、少なくとも１つのフィラメントに対する電流リード導体は、直接ワイヤでランプ球封止部を通して気密に外部へ引き出すことが可能となる。これにより、非常に小さな寸法のランプ球が可能となる。
【００１７】
本発明によるハロゲン電球ランプの場合には、カテゴリーＨ７、Ｈ８、Ｈ１６のハロゲン電球ランプのケースにおいて、当該ランプカテゴリーに対するＥＣＥ規則Ｒ３７の規格を充たすのに、フィラメントから基準面までの間隔が、２５.０ｍｍ＋/−０.１ｍｍの範囲におさまる。
【００１８】
以下では、本発明を有利な実施例に基づいて詳細に説明する。
【図面の簡単な説明】
【００１９】
【図１】本発明の有利な実施例によるハロゲン電球ランプを一部の破断図と共に概略的に示した側面図
【図２】図１に示したハロゲン電球ランプのランプ球をランプ口金なしで示した側面図
【図３】本発明の第１実施例による図１に示したハロゲン電球ランプのランプ口金に属する支持体を示した図
【図４】図１に示したハロゲン電球ランプの一部分を示した図
【図５】本発明の第２実施例によるランプ口金支持体の側面図
【実施例】
【００２０】
図１には本発明の有利な実施例によるハロゲン電球ランプの概略的な構造が示されている。このハロゲン電球ランプとは、例えばカテゴリーＨ８またはＨ１６のハロゲン電球ランプであり、これらは車両前照灯内の光源として用いられる。
【００２１】
このハロゲン電球ランプは、硬質ガラス、例えばアルカリフリーのアルカリ土類アルミノケイ酸塩ガラスからなる透光性のランプ球１を含み、このランプ球１は、ランプ口金２の金属性口金部分２１に固定されている。このランプ口金２の金属性口金部分２１に結合するプラスチック性口金部分２２は、当該ハロゲン電球ランプの電気的接続端子６を備えている。ガス密に封止されたランプ球１は、封止端部１１と、中空円筒状の中央ランプ球部分１２と、ランプ球頭頂部１３とを有しており、前記封止端部１１は金属性口金部分２１の支持体２１４に固定されており、前記ランプ球頭頂部１３は封止された封止端部１１に対向して設けられ、透光性のコーティングを備えている。前記円筒状のランプ球部分１２は、９.５ｍの外径と０.９ｍｍの壁厚と７.７ｍｍの内径とを有している。円筒状のランプ球部分１２の長さＬ２は、その円筒軸線方向において測定され、前記封止端部１１とランプ球頭頂部１３との間のランプ球１の長手方向延在部分は、約１４.２ｍｍである。ランプ球１の内部空間には充填ガス混合気が存在し、このガス混合気はハロゲンと希ガス、例えばクリプトン又はキセノンを含む。２２℃のもとで測定された充填ガス圧は、１.５乃至１.８ＭＰａの範囲にある。ランプ球１の内部には、円筒状の中央ランプ球部分１２の領域にタングステン巻線として形成されたフィラメント３が設けられている。フィラメント３のフィラメント軸線ないしコイル軸線Ａは、円筒状のランプ球部分１２の円筒軸線に対して平行にずらされて配置される。フィラメントないし螺旋状部３の２つの端部３１，３２は、それぞれモリブデンからなる電流リード導体のワイヤ４，５に溶接されている。この２つの電流リード導体ワイヤ４，５は、ランプ球１の封止端部１１から引き出されており、それぞれハロゲン電球ランプの２つの電気的接続端子６と接続される。円筒状のランプ球部分１２内に突入する電流リード導体ワイヤ部分４は、ランプ球１の封止端部１１上約１０.５ｍｍの高さまで延在し得る。それに伴い従来技法によるハロゲン電球ランプよりも２９％短くなる。円筒状のランプ球部分１２内に突入するもう１つの電流リード導体ワイヤ部分５は、ランプ球１の封止端部１１上約５.２ｍｍの高さまで延在し得る。それに伴い従来技法によるハロゲン電球ランプよりも３７％短くなる。２つの電気的接続端子６は、金属性のコンタクトピンとして構成され、それらの第１の端部はそれぞれ電流リード導体ワイヤ４または５に溶接され、それらの第２の端部はプラグ状に構成されたプラスチック性口金部分２２を介してハロゲン電球ランプの給電電圧の接続のためにアクセス可能である。電流リード導体ワイヤ４，５と、コンタクトピン６との溶接は、例えばＷＯ２００７/０９６３３０Ａ１に記載のように、第１の金属スリーブ２１１内の破断部位を介したレーザー処理によって行われる。ランプ球１の封止端部１１は、ピンチシールで形成される。封止端部１１の表面は、複数の突起若しくは凸部１１０を備えて（図２参照）、それらはランプ口金２へのランプ球１の固定のための支持体２１４の金属性シャックルと協働する。
【００２２】
ランプ口金２は、ハロゲン電球ランプの電気的接続端子６が埋込まれている、プラスチック射出成形部材として構成されるプラスチック性口金部分２２と、複数の金属性構成要素２１１，２１２，２１３，２１４から構成された金属性口金部分２１とからなっている。
【００２３】
前記プラスチック性口金部分２２は、第１の中空円筒状の金属スリーブ２１１が突出する表面２２０を有している。この第１の中空円筒状の金属スリーブ２１１は、射出成形技法又は高周波融着技法を用いて前記プラスチック性口金部分２２に接続され、金属性口金部分２１の構成要素を形成している。中空円筒状の第１の金属スリーブ２１１の外皮面は、圧縮バネ２１５の突出する開口部を有しており、前記圧縮バネ２１５は、半径方向で第１の金属スリーブ２１１にバネ作用を及ぼしている。前記ブラスチック性口金部分２２の表面２２０の上には、シリコン性のシールリング２３が当接しており、このシールリングは中空円筒状の第１の金属スリーブ２１１に対し同軸に配置されている。このシールリング２３は、僅かに円錐状若しくはすり鉢状に成形されており、すなわちこのリングの内径と外径は、前記表面２２０に接している下側から基準シャックル２１３ａに向いた上側に向けて増加している。それによりシールリング２３は圧入によって正確にはめ込まれるようにプラスチック性口金部分２２から成形されたスロット内に固定される。その他に前記金属性口金部分２１は、中空円筒状の第２の金属スリーブ２１２を有しており、この第２の金属スリーブ２１２は、第１の金属スリーブ２１１に向いたその下方縁部に環状のフランジ２１３を有しており、このフランジ２１３は３つの基準シャックル２１３ａを備えている。前記環状のフランジ２１３は、第１の金属スリーブ２１１と溶接されており、そのため２つの金属スリーブ２１１，２１２の円筒軸線は同軸的に配置される、か又は、平行にずらされて配置される。３つの基準シャックル２１３ａは、円筒状の第２の金属スリーブ２１２の外皮面から突出して、それぞれ第２の金属スリーブ２１２の直径方向に延在し、環状のフランジ２１３の周囲に沿って等間隔に配置されている。３つの基準シャックル２１３ａのシールリング２３に向いた下方側は、金属スリーブ２１１とランプ球部分１２の円筒軸線に対して実質的に垂直方向に配向された、車両前照灯内でのハロゲン電球ランプ配向のための基準面Ｒを定めている。この基準面はＥＣＥ規則３２４のＲ３７規定に引用される基準面に相応している。さらに金属性口金部分２１には既に前述した円錐状に構成された金属性支持体２１４も含まれており、この支持体２１４は、ランプ球１の封止端部の支持に用いられている。ランプ口金２の基準面Ｒ上の高さＢは、約１３.６ｍｍである。
【００２４】
支持体２１４（図３参照）も金属性スリーブとして形成され、中空円筒状の支持体第１部分２１４１と、それに続く円錐状、特に円錐台状に形成された中空の支持体第２部分２１４２とを有している。中空円筒状の支持体第１部分２１４１の外径は、第２の金属スリーブ２１２の内径よりも僅かに小さい。支持体２１４の中空円筒状の支持体第１部分２１４１は、同じく中空円筒状の第２の金属スリーブ２１２にはめ込まれてこれと共に溶接される。前記円錐台状の支持体第２部分２１４２は、ランプ球１に向いたその上側２１４０において、支持体２１４の中空円筒状の第１部分２１４１の外径よりも小さい低減された外径を有している。
【００２５】
前記支持体２１４の外径は、中空円筒状の支持体第１部分２１４１の領域では１５ｍｍである。円錐台状の支持体第２部分２１４２の領域において、ランプ球１に向いた上側２１４０における支持体２１４の外径は、１２ｍｍしかない。円錐状に形成された支持体第２部分２１４２の高さは３.５ｍｍであり、円筒状に形成された支持体第１部分２１４１の高さは６ｍｍである。
【００２６】
支持体２１４の上側２１４０は、ランプ球１の封止端部１１収容のための開口部２１４３と、８つのバネシャックル２１４４とを有しており、これらのバネシャックル２１４４は圧入によってランプ球１の封止端部１１に当接する。前記バネシャックル２１４４はランプ球１の封止端部１１表面に配設された、ストッパー若しくはガイドとして作用する突起ないしスタッド１１０と協働する。それぞれ４つのバネシャックル２１４４が、ランプ球１の封止端部１１の２つの対向側に当接し、それによって当該封止端部１１が圧入によってこれらのバネシャックル２１４４間に固定される。この種の圧入に関する詳細は例えばＷＯ９６/０５６１０Ａ１明細書に開示されている。
【００２７】
ハロゲン電球ランプの取付けによれば、ランプ球１と金属性口金部分は前照灯の内部へ突出し、その結果ランプ球とは反対側の基準シャックル２１３ａ下側は前照灯反射器（図示せず）の内側に当接し、さらにシールリング２３は前照灯反射器の外側に当接する。すなわち前照灯反射器の壁部は、基準シャックル２１３ａとシールリング２３との間にはめ込まれる。圧縮バネ２１５は、反射器開口部の縁部においてバネ負荷され、それによって第１の金属スリーブ２１１の円筒軸線に対して垂直方向にハロゲン電球ランプがロックされる。この種のロックの詳細は例えばＷＯ９７/２５７３３Ａ１明細書に開示されている。
【００２８】
本発明の第２実施例によれば、図１に示されているハロゲン電球ランプが、図３に示されている支持体２１４に代えて、図５に示されている支持体２１４′を用いている。残りの全ての詳細については、本発明の第１実施例によるハロゲン電球ランプと第２実施例によるハロゲン電球ランプとの間で違いはない。
【００２９】
支持体２１４′（図５参照）も金属性スリーブとして形成されており、さらに中空円筒状の支持体第１部分２１４１′と、それに続く中空円筒状の支持体第２部分２１４２′とを有している。中空円筒状の支持体第１部分２１４１′の外径は、第２の金属スリーブ２１２の内径よりも僅かに小さい。支持体２１４′の中空円筒状の支持体第１部分２１４１′は、同じく中空円筒状の第２の金属スリーブ２１２にはめ込まれてこれと共に溶接される。中空円筒状の支持体第２部分２１４２′は支持体２１４′の中空円筒状の支持体第１部分２１４１′の外径よりも小さく低減された外径を有している。
【００３０】
前記支持体２１４′の外径は、中空円筒状の支持体第１部分２１４１′の領域では１５ｍｍである。中空円筒状の支持体第２部分２１４２′の領域において、支持体２１４′の外径は１２ｍｍしかない。支持体第２部分２１４２′の高さは３.５ｍｍであり、円筒状に形成された支持体第１部分２１４１′の高さは６ｍｍである。
【００３１】
本発明の第２実施例による支持体２１４′の上側２１４０′とバネシャックルは、本発明の第１実施例による支持体２１４の上側２１４０とバネシャックル２１４４と同じように構成されている。
【００３２】
本発明は、上記において詳細に説明した実施例に限定されるものではない。特に本願発明はＥＣＥ規則Ｒ３７規定のその他のカテゴリーのハロゲンランプについても適用可能である。
【図１】
0005599477.tif 000002
【図２】
0005599477.tif 000003
【図３】
0005599477.tif 000004
【図４】
0005599477.tif 000005
【図５】
0005599477.tif 000006